(57)【特許請求の範囲】
【請求項１】
二重シートで構成された背幅調整可能なファイリング用具の背見出収納部の標題紙フォルダー部であって、  前記標題紙フォルダー部表側シートと下地シート双方のシートに標題紙脱落防止可能係止具を設置するための切欠部が設置されかつ当該標題紙脱落防止可能係止具が添付されたことにより、当該標題紙フォルダー部長尺方向両端部双方から標題紙脱落防止可能とされた、  ことを特徴とする標題紙フォルダー部を有する背見出収納具。
【請求項２】
二重シートで構成された背幅調整可能なファイリング用具の背見出収納部の標題紙フォルダー部であって、前記標題紙フォルダー部表側シートと下地シートにわたって標題紙脱落防止可能係止具部としてファスナー部が設置されたことにより、当該標題紙フォルダー部長尺方向両端部双方から標題紙脱落防止可能とされた、  ことを特徴とする標題紙フォルダー部を有する背見出収納具。
【請求項３】
標題紙フォルダー部に標題紙摺動可能起立部が設置されたか又は当該目的実現可能な起立具が添付された請求項１又は請求項２の標題紙フォルダー部を具備する背見出収納具。
【請求項４】
請求項１乃至請求項３いずれか記載の標題紙フォルダー部を具備する背見出収納具。
【発明の詳細な説明】
【技術分野】
【０００１】  背見出収納部に関する。
【背景技術】
【０００２】  本発明は、背見出収納部標題紙フォルダー部長尺方向の標題紙脱落防止構造を有するフォルダー部に関する発明である。
本発明が対象とする背見出収納部標題紙フォルダー部は、全体が開閉可能か又は取外可能である。
これまでの調査によれば、標題紙フォルダー部が、ドア形式に開閉可能か又はその位置において取外可能な標題紙フォルダー部を持った背表紙収納部を有する市販商品も従来技術文献もない。
しかしながら従来技術文献において、本発明に比較的近いと思われるものは以下のとおりである。
容積の調整が可能な折り畳み式書類ファイルにおいて、該書類ファイルに穴を開ける技術を提案したものがある。（例えば、特許文献１参照）。しかし当該技術は、ファイル内に多少の空気が循環できるようにするための穴（切欠）であって、紙類の劣化防止を目的とした技術である。本発明のように、標題紙脱落防止可能係止具を設置するための切欠部ではない。また本文献には、突起が設置される技術が記載されているが、当該突起は、挿入する標題紙を貫通させ支持させるものではない。（特許文献１参照）。
また、透明シートの内側にケースの丈よりも丈の短い印刷紙を挿入するケースに関する文献がある。（例えば、特許文献２参照）。当該文献に記載されている切欠技術は、印刷紙の滑落防止係合手段として設置されたスリット（切欠）である。本発明のように標題紙脱落防止係止具を設置するためのものではなく、標題紙脱落防止可能係止具も添付されていない。また当該文献の技術は、着脱口を天部端に設け他の三辺外周部が閉じられており、本発明のように蓋部が開閉可能であるか又は取外可能としたものではない。（特許文献２）。
また、背表紙標題紙の見出し保持具において、スライド式の天部端に標題紙着脱口を設置し、標題紙を着脱する技術を提案した文献がある。（例えば、特許文献３参照）。
当該文献では、標題紙を背表紙部に沿って上下にスライドさせ、フォルダー部に突起が設置されている。しかし当該文献の突起は、標題紙の脱落防止を図ることを目的とし、標題紙を貫通して支持するものではない。また当該文献は、蓋部をドア型に開閉可能とするか又はその位置において取外可能とした技術ではない。（特許文献３）。
【先行技術文献】
【特許文献】
【０００３】
【特許文献１】特表平９−５０３７１４号公報
【特許文献２】特開２０００−７９９８２号公報
【特許文献３】実開平５−７４８８１号公報
【発明の概要】
【発明が解決しようとする課題】
【０００４】  本発明の課題は、背見出収納部標題紙フォルダー部の標題紙脱落防止を図ることである。
【課題を解決するための手段】
【０００５】  本発明の解決手段は、二通りある。
一つの解決手段は、標題紙の脱落防止を図るために、標題紙フォルダー部に切欠部を設置し、当該切欠部に設置する標題紙脱落防止可能な係止具を添付する方法である。
二つ目の解決手段は、標題紙フォルダー部長尺方向端部それぞれに標題紙脱落防止可能係止部を設置するか又は当該目的実現可能な係止具を添付する方法である。
【発明の効果】
【０００６】  本発明によって、背見出収納部の標題紙脱落防止を図ることができる。
従来技術にはない技術であり、新たな商品開発が期待できる。
【図面の簡単な説明】
【０００７】
【図１】請求項１の切欠部が設置されたファイリング用具の１例を示した斜視図である。
【図２】図１の切欠部に設置される標題紙脱落防止可能係止具の１例を示した拡大斜視図である。
【図３】図１の切欠部に設置される標題紙脱落防止可能係止具の１例を示した拡大斜視図である。
【図４】  標題紙係止可能係止部としてファスナー部が標題紙フォルダー部地部側に設置された一例を示した斜視図である。（設置例は、開閉可能な背見出収納部標題紙フォルダー部）
【図５】  図４のファスナーが係合した模様の１例を示した拡大模式図である。
【発明を実施するための形態】
【総記】
【０００８】  本発明の請求項１及び請求項２それぞれの標題紙脱落防止可能係止部には、当該目的実現可能な突起も含まれるものとする。  本発明の各請求項に基づく各部の素材の選定、構造、組み立て方等及び本明細書に記載された事項に基づく対応は本発明の設計事項とする。また本発明の背見出収納部各部にカラーの素材を使用すること、縁取りを設けること、フリル等を設置することは、本発明の範囲とする。
【実施例１】
【０００９】  図１は、請求項１の切欠部が設置されたファイリング用具の１例を示した斜視図である。  ファイリング用具は、背表紙が伸縮自在型のものである。  標題紙フォルダー部は、二重シートにより構成されている。  請求項１の切欠部は、二重シートを貫通して設置される。この場合は、標題紙脱落防止可能係止具は、切欠部を通して当該フォルダー部を結束する形式の係止具が要求される。  切欠部の形、サイズ、位置及び並べ方等は、添付する係止具及び本体背表紙の内容によって決定する必要がある。  図２は、図１の切欠部に設置される標題紙脱落防止可能係止具の１例を示した拡大斜視図である。  図３は、図１の切欠部に設置される標題紙脱落防止可能係止具の１例を示した拡大斜視図である。
【実施例２】
【００１０】  実施例２は、請求項２に関するものである。図４は、請求項２の標題紙係止可能係止部としてファスナー部が標題紙フォルダー部地部側に設置された一例を示した斜視図である。（設置例は、開閉可能な背見出収納部標題紙フォルダー部）図５は、図４のファスナーが係合した模様の１例を示した拡大模式図である。
【符号の説明】
【００１２】１  背表紙部伸縮自在型ファイリング用具    １１  背表紙部    １２  標題紙脱落防止可能係止具が設置される切欠部（天部側）    １３  標題紙脱落防止可能係止具が設置される切欠部（地部側）３  背見出収納部標題紙フォルダー部に設置された標題紙脱落防止可能係止部であるファ  スナー    ３１  背見出収納部下地シート    ３２  背見出収納部表側シート    ３３  標題紙脱落防止可能係止部であるファスナー受部    ３４        同上                    ファスナー掛部
【要約】
【課題】背見出収納部標題紙フォルダー部の標題紙の脱落防止を図る。
【解決手段】標題紙フォルダー部の蓋部をドア形式に開閉可能か又はその位置において取外可能に装着し、フォルダー部に標題紙脱落防止可能係止具を設置する切欠部を設置し、かつ当該係止具を添付する。又は、標題紙フォルダー部長尺方向端部それぞれに標題紙脱落防止可能係止部を設置するか又は当該目的実現可能な係止具を添付する。
【選択図】図１【図１】
0005194235.tif 000002
【図２】
0005194235.tif 000003
【図３】
0005194235.tif 000004
【図４】
0005194235.tif 000005
【図５】
0005194235.tif 000006